(57)【要約】  【課題】外面側のみでなく内面側の見栄えにも優れ、パネル材の交換が容易であり、生産性に優れ、材料の有効利用を図るパネル材付の扉を提供する。  【解決手段】収納家具、クローゼット、壁収納等の家具類の前面に設けられる扉で、ガラスや鏡等のパネル材１と、木質の枠材４を矩形状に組付けた枠組３の内周端部に、パネル材１の外周端部が嵌入する溝部５を形成すると共に、内面側に、溝部５の底端部近傍に達する深さのスリット部６を形成した枠体２とからなり、スリット部６と溝部５底端部との間部分である連結部７は、パネル材１を交換する際に切断され、スリット部６と溝部５とで囲まれた切離部分８は、新たなパネル材１を組込む際のパネル固定材９としてなる。【選択図】    図２
2005146607.tif 000002
【特許請求の範囲】
【請求項１】
収納家具、クローゼット、壁収納等の家具類の前面に設けられる扉であって、
ガラスや鏡等のパネル材と、
木質の枠材を矩形状に組付けた枠組の内周端部に、前記パネル材の外周端部が嵌入する溝部を形成すると共に、内面側に、前記溝部の底端部近傍に達する深さのスリット部を形成した枠体と、からなり、
前記スリット部と前記溝部底端部との間部分である連結部は、前記パネル材を交換する際に切断され、前記スリット部と溝部とで囲まれた切離部分は、新たなパネル材を組込む際のパネル固定材となることを特徴とするパネル材付き扉。
【請求項２】
前記枠材の表面に、化粧材を貼着し、その化粧材で少なくとも前記スリット部を覆ったことを特徴とする請求項１に記載のパネル材付き扉。
【請求項３】
前記スリット部が、前記溝部に対して直角に形成されたものであることを特徴とする請求項１又は２に記載のパネル材付き扉。
【発明の詳細な説明】
【技術分野】
【０００１】
本発明は、収納家具、クローゼット、壁収納をはじめとする家具類の前面に設けられ、ガラスや鏡等の主として硬質のパネル材を組込んだ扉に関するものである。
【背景技術】
【０００２】
従来から、食器棚や飾り棚等の内部を透視できるようにした収納家具には、木製で矩形状の枠体にガラス等の透過性を有する硬質のパネル材を組込んだ扉が使用されている。また、クローゼット等の内部を透視できないようにしたものでは、鏡であるパネル材を組込んだ扉が使用されている。
【０００３】
上記した従来の扉において、その内面側は、閉じた状態では視覚されないこと、および、パネル材が破損した場合には、それを交換できるようにする必要があることから、図６に示すように、枠材４の内面側（図６では下側）の内周部に段部１２を形成し、その段部１２にパネル材１の周端部を嵌込んでいる。そして、当該周端部の全長に沿ってパネル押え材１１を設け、そのパネル押え材１１を、タッカーピンＰや木ネジ等で枠材４に固定して、パネル材１を組込んでいる。
【０００４】
しかし、前記従来の扉では、それを閉じているときには内面側は視覚されないので特に問題はないが、開けたときにはパネル押え材１１とタッカーピンＰ等が露出して視覚されるので、見栄えが悪いという問題が発生する。
【０００５】
また、パネル材１は強固に固定されていないと、安全上の問題が発生するので、通常、作業員がパネル押え材１１を強く押えながらタッカーで多数のタッカーピンＰを打込む必要がある。
しかし、このタッカーピンＰは、パネル材１が存在するために、正面からではなく、斜め方向から打込まなければならず、従って、不安定な姿勢での作業が要求され、生産性の低下につながっていた。
【０００６】
また、上記従来技術の他に、パネル材を組込んだ扉に関する技術は、これまでに種々創案されている（例えば、特許文献１，２，３参照）。
【特許文献１】特開平８−１５８７５２号公報
【特許文献２】特開平１０−８８４０号公報
【特許文献３】特許第３０２３６６６号
【発明の開示】
【発明が解決しようとする課題】
【０００７】
しかしながら、特許文献１の図１に記載のものは、内面側の見栄えには優れるものの、パネル材を交換できるように上端部にスリットを設けるなどする必要があり、結局、部材の種類が増えて製造に手間が掛かるとともに、別の部分の見栄えが低下する。
従って、扉の上端部が視覚されないクローゼット等には使用できるが、食器棚や飾り棚等には使用できない。
【０００８】
また、特許文献２に記載のものは、必ずしも交換が必要であるとは言えないパネル材を固定するために、コストの嵩む専用部材を取付ける構成であるため、作業性およびコストの点で問題がある。
【０００９】
さらに、特許文献３に記載のものは、パネル材を押えるための部材が必要であるため生産性の点で問題がある。また、框部材の切欠部はモルダー等の切削機で削られて破棄されるので、材料の有効利用を図ることができないといった問題もある。
【００１０】
そこで、本発明の目的とするところは、外面側のみでなく内面側の見栄えにも優れ、パネル材の交換が容易であり、生産性に優れ、材料の有効利用を図ることのできるパネル材付き扉を提供することにある。
【課題を解決するための手段】
【００１１】
上記の目的を達成するために、本発明の請求項１に記載のパネル材付き扉は、収納家具、クローゼット、壁収納等の家具類の前面に設けられる扉であって、ガラスや鏡等のパネル材（１）と、木質の枠材（４）を矩形状に組付けた枠組（３）の内周端部に、前記パネル材（１）の外周端部が嵌入する溝部（５）を形成すると共に、内面側に、前記溝部（５）の底端部近傍に達する深さのスリット部（６）を形成した枠体（２）と、からなり、前記スリット部（６）と前記溝部（５）底端部との間部分である連結部（７）は、前記パネル材（１）を交換する際に切断され、前記スリット部（６）と溝部（５）とで囲まれた切離部分（８）は、新たなパネル材（１ａ）を組込む際のパネル固定材（９）となることを特徴とする。
【００１２】
また、請求項２に記載のパネル材付き扉は、前記枠材（４）の表面に、化粧材（２０）を貼着し、その化粧材（２０）で少なくとも前記スリット部（６）を覆ったことを特徴とする。
【００１３】
さらに、請求項３に記載のパネル材付き扉は、前記スリット部（６）が、前記溝部（５）に対して直角に形成されたものであることを特徴とする。
【００１４】
なお、カッコ内の記号は、図面および後述する発明を実施するための最良の形態に記載された対応要素または対応事項を示す。
【発明の効果】
【００１５】
本発明の請求項１に記載のパネル材付き扉によれば、ガラスや鏡等のパネル材と、木質の枠材を矩形状に組付けた枠組の内周端部に、前記パネル材の外周端部が嵌入する溝部を形成すると共に、内面側に、前記溝部の底端部近傍に達する深さのスリット部を形成した枠体と、からなり、前記スリット部と前記溝部底端部との間部分である連結部は、前記パネル材を交換する際に切断され、前記スリット部と溝部とで囲まれた切離部分は、新たなパネル材を組込む際のパネル固定材となるので、以下の作用効果を発揮する。
【００１６】
（１）外面側のみでなく、内面側の見栄えにも優れる。
このパネル材付き扉の内面側は、スリット部が形成されている他は、外面側と同じ構造である。従って、当該扉を開けた状態における内面側の見栄えは、外面側と同じように優れる。
（２）パネル材の交換が容易である。
パネル材が損傷し、新たなパネル材に交換する場合、スリット部と溝部との間の連結部をカッター等で切断するのみで、損傷しているパネル材を容易に取除くことができる。スリット部はカッターを案内する役目を果たすと共に、それにより幅が短く切断の容易な連結部を形成している。従って、交換作業を迅速に行うことができる。
（３）生産性に優れる。
枠組（枠材）に、溝部とスリット部を形成するのみで良いので、作業が容易であると共に、専用の部材も不要であるため、生産コストも抑えることができる。
（４）材料の有効利用を図ることができる。
パネル材を交換する際に発生する切離部分を、パネル固定材として再使用するので、材料に無駄が生じない。
【００１７】
特に、請求項２に記載の発明のように、枠材の表面に、化粧材を貼着し、その化粧材でスリット部を覆うことによって、スリット部の存在が外部からはわからないので、見栄えはさらに向上する。
【発明を実施するための最良の形態】
【００１８】
図１および図２を参照して、本発明の実施形態に係るパネル材付き扉について説明する。図１はパネル材付き扉の内側面を示す正面図であり、図２はそのＡ−Ａ線部分拡大断面図である。従来例で示したものと同一部分には同一符合を付した。
【００１９】
本発明の実施形態に係るパネル材付き扉は、食器棚である収納家具の前面に設けられる扉であって、パネル材１と枠体２とで構成される。
このパネル材１は、内部を透視できるガラスである。また、枠体２は、複数の木質枠材４を矩形状に留め納めの形態で組付けた枠組３の内周端部に、パネル材１の外周端部が嵌入する溝部５を形成すると共に、内面側に、溝部５の底端部近傍に達する深さのスリット部６を形成している。なお、枠組３は、留め納めに代えて、図４に示す縦勝ち納めの形態とすることもできる。スリット部６をライン加工することを考えると留め納めの方がより望ましい。
【００２０】
また、スリット部６と溝部５底端部との間部分である連結部７は、パネル材１を交換する際に切断されるものであり、これにより発生するスリット部６と溝部５とで囲まれた切離部分８は、新たなパネル材１ａを組込む際のパネル固定材９として使用する。
【００２１】
本実施形態に係るパネル材付き扉において、パネル材１の交換は次のようにして行う。まず、スリット部６にカッターＣを差し入れて、溝部５との間部分である連結部７を切断する（図３（ａ））。これにより、スリット部６と溝部５とに囲まれた切離部分８を切除し、パネル材１を取除く（同（ｂ））。
【００２２】
次に、新たなパネル材１ａの周端部を、切離部分８を取り除いたことによって形成される段差部１０に組込み、その上から、切離部分８であるパネル固定材９を押付け、タッカーピンＰ等で固定する（同（ｃ），（ｄ））。なお、切離部分８には、連結部７を切断した際に凸部８ａが形成され易いので、この凸部８ａを切除することが望ましい。
【００２３】
なお、本実施形態においては、スリット部６が、溝部５に対して直角に形成されているので、連結部７を切断して断面矩形状のパネル固定材９を容易に形成することができる。パネル固定材９が断面矩形状であると、枠材４とパネル材１ａに当接する二つの面を加工し易く（当該二つの面を相互に直角に形成すれば良いから）、従って、この二つの面を、枠材４とパネル材１ａのそれぞれに正確に安定した密着姿勢で押し付けることができる。その結果、新たなパネル材１ａを強く固定することができる。
【００２４】
こうした特徴を有する本実施形態に係るパネル材付き扉は、その内面側が、スリット部６が形成されている他は外面側と同じ構造であるため、外面側のみでなく、内面側の見栄えにも優れる。また、パネル材１が損傷し、新たなパネル材１ａに交換する場合、スリット部６と溝部５との間の連結部７をカッターＣ等で切断するのみで、損傷しているパネル材１を容易に取除くことができるので、パネル材１の交換が容易である。さらに、枠組３（枠材４）に、溝部５とスリット部６を形成するのみで良いので、作業が容易で生産コストも抑えることができ、生産性に優れる。またさらに、パネル材１を交換する際に発生する切離部分８を、パネル固定材９として再使用するので、材料に無駄が生ぜず、材料の有効利用を図ることができる。
なお、本発明におけるパネル材１は、ガラスや鏡に限定されるものではなく、樹脂等のパネル材として使用されるものの全てを含む。
【００２５】
また、図５で示すように、枠材４の表面に、化粧材２０を貼着し、その化粧材２０で幅の狭いスリット部６を覆うようにしてもよい。化粧材２０としては、樹脂製のシート、紙製のシートや天然木のスライス単板（突板）、突板の裏に裏打ち紙を貼ったもの、突板の表面に透明のシートを貼って補強を図ったもの等があげられる。なお、連結部７を切断する場合には、化粧材２０からスリット部６に向けて切り込みを入れ、化粧材２０を内側に巻き込むようにしてパネル固定材９を密着させて固定する。
これによれば、スリット部６の存在が外部からはわからないので、内面側の見栄えはさらに向上する。
【図面の簡単な説明】
【００２６】
【図１】本発明の実施形態に係るパネル材付き扉の内面側を示す正面図である。
【図２】図１のＡ−Ａ線部分拡大断面図である。
【図３】図１に示すパネル材付き扉のパネル材を交換する手順を示す説明図である。
【図４】本発明に係るパネル材付き扉の他の実施形態を示す正面図である。
【図５】本発明に係るパネル材付き扉の他の実施形態に係るパネル材を示す断面図である。
【図６】従来例を示す断面図である。
【符号の説明】
【００２７】
１  パネル材
１ａ  新たなパネル材
２  枠体
３  枠組
４  枠材
５  溝部
６  スリット部
７  連結部
８  切離部分
８ａ  凸部
９  パネル固定材
１０  段差部
１１  パネル押え材
１２  段部
２０  化粧材
Ｃ  カッター
Ｐ  タッカーピン
【図１】
2005146607.tif 000003
【図２】
2005146607.tif 000004
【図３】
2005146607.tif 000005
【図４】
2005146607.tif 000006
【図５】
2005146607.tif 000007
【図６】
2005146607.tif 000008